(57)【特許請求の範囲】
【請求項１】
圧縮機構及び電動モータが収容された密閉容器の端面に配設された吸入口から吸入されたガスが上記電動モータのロータとステータとの間隙を通って上記圧縮機構に吸入される密閉型電動圧縮機において、上記密閉容器の端面に上記吸入口の外周側に偏寄した位置から外方に突出するボス部を設けるとともにこのボス部に上記電動モータのリード線が接続されるガラス密封端子を取り付け、上記ボス部と上記密閉容器の端面との接続部分であって上記電動モータからのリード線の引き出し経路に対応する部分のみに外方へ膨出する膨出部を形成し、かつ、上記電動モータのステータの巻線の温度を検出する温度センサを上記巻線の上記ボス部に対向する位置に取り付けて上記リード線を上記膨出部の内面と上記温度センサとの間隙を通して上記ガラス密封端子に接続したことを特徴とする密閉型電動圧縮機。
【発明の詳細な説明】
【０００１】
【発明の属する技術分野】
本発明は密閉型電動圧縮機に関する。
【０００２】
【従来の技術】
従来の密閉型電動圧縮機の１例が図２ないし図４に示されている。
図２において、４は密閉容器で、カップ状右ハウジング４９と、フレーム５と、カップ状左ハウジング４３とからなり、これらはボルト５６によって互いに締結されている。右ハウジング４９の内部には電動モータＭが配設され、左ハウジング４３の内部にはスクロール型圧縮機構Ｃがそれぞれ配設されている。
【０００３】
電動モータＭと圧縮機構Ｃは回転シヤフト３を介して互いに連動連結されている。
回転シヤフト３の右端はサブベアリング５１を介して右ハウジング４９に軸承され、左端はメインベアリング５２を介してフレーム５に軸承されている。
【０００４】
電動モータＭはロータＭａ  とステータＭｂ  からなり、ロータＭａ  は回転シヤフト３に固定され、ステータＭｂ  は右ハウジング４９に圧入することによって固定されている。
【０００５】
スクロール型圧縮機構Ｃは固定スクロール１、旋回スクロール２、旋回スクロール２の自転を阻止するオルダムリンク等の自転阻止機構６等からなる。
【０００６】
固定スクロール１は端板１１とその内面に立設されたうず巻状ラップ１２とを備え、この端板１１の外周面を左ハウジング４３の内周面に密接させることによって端板１１の左側には吐出室４６が形成され、右側には吸入室４７が限界されている。
【０００７】
また、端板１１の中央には吐出ポート１３が穿設され、この吐出ポート１３は吐出弁１７によって開閉されるようになっている。
そして、この端板１１の外周から右方に突出する複数の脚１５にボルト６４を螺入することによって固定スクロール１はフレーム５に締結されている。
【０００８】
旋回スクロール２は端板２１とこの内面に立設されたうず巻状ラップ２２とを備え、この端板２１の外面に立設されたボス２３内にはドライブブッシュ３２が旋回軸受３４を介して回転自在に嵌装されている。このドライブブッシュ３２に穿設されたスライド溝３３内には回転シヤフト３の左端に偏心して突設された偏心駆動ピン３１がスライド可能に嵌合されている。
【０００９】
端板２１の外面はスラストベアリング５３を介してフレーム５の左端面と摺接する。
そして、端板２１とフレーム５との間には自転阻止機構６が介装されている。
【００１０】
固定スクロール１と旋回スクロール２とを相互に所定距離だけ偏心させ、かつ、１８０  度だけ角度をずらせて噛合させることによって複数個の密閉空間２４が形成されている。
【００１１】
電動モータＭを駆動すると、回転シヤフト３、偏心駆動ピン３１、ドライブブッシュ３２、旋回軸受３４、ボス２３等からなる旋回駆動機構を介して旋回スクロール２が駆動され、旋回スクロール２は自転阻止機構６によって自転を阻止されながら公転旋回半径の円軌道上を公転旋回運動する。
【００１２】
すると、ガスが吸入口４４を経て低圧室４８に入り、このガスはステータＭｂ  の外周に設けられた通路５８及びステータＭｂ  とロータＭａ  との間隙５９を通る過程で電動モータＭを冷却した後、フレーム５に設けられた通路５４、吸入室４７を経て密閉空間２４内に吸い込まれる。
【００１３】
そして、旋回スクロール２の公転旋回運動により密閉空間２４の容積が減少するのに伴って圧縮されながら中央部に至り、中央部から吐出ポート１３を通り、吐出弁１７を押し開いて吐出室４６内へ吐出され、ここから吐出口４５を経て外部に流出する。
【００１４】
なお、１８は吐出弁１７の上昇を制限するための弁押えで、ボルト１９によって吐出弁１７と共に固定スクロール１の端板１１の外面に固定されている。３５は回転シヤフト３に固定されたバランスウェイトである。
右ハウジング４９の右端上部中央にはボス部６５が形成され、このボス部６５にはガラス密封端子６２が取り付けられている。
【００１５】
密閉型電動圧縮機の組立時、図３及び図４に示すように、電動モータＭのステータＭｂの巻線の右端に接続された３本のリード線６６をボス部６５から外部に引き出してその先端のリセプタクル６７をガラス密封端子６２の内側のタブ６８に接続した後、リード線６６を右ハウジング４９内に収納してガラス密封端子６２をボス部６５の先端に封密的に固定する。そして、ガラス密封端子６２の外側のタブ６９に図示しない電力線の先端に設けられたリセプタクルを接続する。
【００１６】
また、電動モータＭのステータＭｂ  の巻線の右端にはこの巻線の温度を検出するための温度センサ７０が取り付けられ、この温度センサ７０の検出温度はリード線、ボス７２に取り付けられた密封端子７３を介して図示しないインターナルプロテクタに送られ、巻線の温度が所定値以上に上昇したとき、電動モータＭの電力供給を遮断して電動モータＭの焼付を防止している。
【００１７】
【発明が解決しようとする課題】
上記従来の密閉型電動圧縮機においては、その運転時にリード線６６が振動して右ハウジング４９の内面に接触しないように右ハウジング４９とリード線６６との間に大きな隙間を形成していたので、密閉容器４が大形となるという問題があった。
【００１８】
【課題を解決するための手段】
本発明は上記課題を解決するために発明されたものであって、その要旨とするところは、圧縮機構及び電動モータが収容された密閉容器の端面に配設された吸入口から吸入されたガスが上記電動モータのロータとステータとの間隙を通って上記圧縮機構に吸入される密閉型電動圧縮機において、上記密閉容器の端面に上記吸入口の外周側に偏寄した位置から外方に突出するボス部を設けるとともにこのボス部に上記電動モータのリード線が接続されるガラス密封端子を取り付け、上記ボス部と上記密閉容器の端面との接続部分であって上記電動モータからのリード線の引き出し経路に対応する部分のみに外方へ膨出する膨出部を形成し、かつ、上記電動モータのステータの巻線の温度を検出する温度センサを上記巻線の上記ボス部に対向する位置に取り付けて上記リード線を上記膨出部の内面と上記温度センサとの間隙を通して上記ガラス密封端子に接続したことを特徴とする密閉型電動圧縮機にある。
【００２１】
【発明の実施の形態】
本発明の１実施形態が図１に示されている。
電動モータＭのリード線６６の引き出し位置に対応するボス部６５と右ハウジング４９の右端面との接続部分には外方に膨出する膨出部７２が形成され、この膨出部７２はリード線６６に沿うよう滑らかな曲線で構成されている。
【００２２】
そして、巻線の温度を検出するためのインターナルプロテクタの温度センサ７０はボス部６５に対向する位置においてステータＭｂの巻線に取り付けられている。
他の構成は図２ないし図４に示す従来のものと同様であり、対応する部材には同じ符号を付してその説明を省略する。
【００２３】
しかして、リード線６６のリセプタクル６７をガラス密封端子６２の内側のタブ６８に接続するため、リセプタクル６７をボス部６５から図示のように所定距離だけ引き出したとき、リード線６６は膨出部７２内を通るので、リード線６６の長さを短くすることができる。
従って、リセプタクル６７をタブ６８に接続した後、リード線６６を右側ハウジング４９内に収納したとき、リード線６６が右側ハウジング４９内で撓む量が少なくなる。
【００２４】
この結果、密閉型電動圧縮機の運転時にリード線６６が振動しても右側ハウジング４９の内面に接触することはなく、また、温度センサ７０に接触することもない。かくして、ステータＭｂの巻線と右側ハウジング４９の内面との間隙を小さくすることができるので、密閉容器４を小形化することができる。
【００２５】
そして、温度センサ７０はボス部６５に対向する位置に配置されているので、吸入口４４から密閉容器４内に吸入された低温のガスに接触することはなく、従って、モータＭのステータＭｂ  の巻線の温度を正確に検出できる。
【００２６】
【発明の効果】
本発明においては、密閉容器の端面に外方に突出するボス部を設けるとともにこのボス部に電動モータのリード線が接続されるガラス密封端子を取り付け、ボス部と密閉容器の端面との接続部分であって電動モータからのリード線の引き出し経路に対応する部分のみに外方へ膨出する膨出部を形成し、かつ、リード線を膨出部の内面と温度センサとの間隙を通してガラス密封端子に接続したたため、リード線の長さが短くなるのでリード線の撓み量が少なくなり、従って、密閉型電動圧縮機の運転時、リード線が振動した場合であってもリード腺が膨出部の内面及び温度センサに接触するのを防止することができる。
この結果、従来のようにリード線と密閉容器との間に大きな隙間を形成する必要がなくなるので、密閉容器を小型化することができる。
【００２８】
密閉容器の端面に吸入口の外周側に偏寄した位置から外方に突出するボス部を設け、電動モータのステータの巻線の温度を検出する温度センサを巻線のボス部に対向する位置に取り付け、リード線を膨出部の内面と温度センサとの間隙を通してガラス密封端子に接続したので、リード線が振動しても温度センサに接触することはないとともに吸入口から密閉容器内に吸入されて電動モータのロータとステータとの間隙を通って圧縮機構に吸入されるガスが温度センサに接触することはなく、従って、温度センサはステータの巻線の温度を正確に検出することができる。
【図面の簡単な説明】
【図１】本発明の１実施形態を示す図４に対応する部分的縦断面図である。
【図２】従来の密閉型電動圧縮機の縦断面図である。
【図３】従来の密閉型電動圧縮機の端面からの透視図である。
【図４】図３のＢ−Ｂ線に沿う部分的縦断面図である。
【符号の説明】
４９  密閉容器
Ｍ  電動モータ
Ｍｂ  ステータ
６５  ボス部
６２  ガラス密封端子
６６  リード線
７２  膨出部
７０  温度センサ
【図１】
0003553216.tif 000002
【図２】
0003553216.tif 000003
【図３】
0003553216.tif 000004
【図４】
0003553216.tif 000005